(57)【特許請求の範囲】
【請求項１】
エレベータ制御情報の設定画面及びエレベータ運行情報の表示画面を含む複数の画面を切替表示可能な監視モニタと、該監視モニタの表示切替及び前記エレベータ制御情報の設定を行う入力装置とを備えた昇降機監視システムにおいて、
前記監視モニタは、前記エレベータ制御情報の設定画面として、ダブルデッキエレベータの運行方式の設定画面と、ダブルデッキエレベータを構成する上かご及び下かごについての不停止階の設定画面とを表示可能に構成されており、
前記ダブルデッキエレベータの運行方式が、前記上かご及び前記下かごについて特定の階床が必然的に不停止階となるものである場合には、前記不停止階の設定画面に前記特定の階床を自動的に不停止階として表示し、
前記ダブルデッキエレベータの運行方式が、前記上かご及び前記下かごについて特定の階床が不停止階となるものである場合であって、前記特定の階床以外に前記上かご及び前記下かごについて不停止階とすべき階床がさらにある場合、及び、前記ダブルデッキエレベータの運行方式が、前記上かご及び前記下かごについて不停止階となる特定の階床がないものである場合であって、前記上かご及び前記下かごについて不停止階とすべき階床がある場合には、前記入力装置を操作することにより手動で、前記不停止階の設定画面に不停止階の設定が行えるようになっていることを特徴とする昇降機監視システム。
【請求項２】
請求項１に記載の昇降機監視システムにおいて、
各階床のエレベータ乗場に乗かごの停止階を表示する乗場モニタを備えると共に、前記上かご内及び前記下かご内には、上かごの停止階を表示する上かご内モニタ及び下かごの停止階を表示する下かご内モニタを別個に備え、前記監視モニタは、前記ダブルデッキエレベータの運行方式が、前記上かご及び前記下かごについて特定の階床が不停止階となるものである場合、前記上かご内モニタについては、前記ダブルデッキエレベータの運行方式に応じて不停止階となる階床及び前記入力装置により前記上かごについて不停止階として設定された階床を不停止階として表示し、前記下かご内モニタについては、前記ダブルデッキエレベータの運行方式に応じて不停止階となる階床及び前記入力装置により前記下かごについて不停止階として設定された階床を不停止階として表示することを特徴とする昇降機監視システム。
【請求項３】
請求項１及び請求項２のいずれか１項に記載の昇降機監視システムにおいて、
前記エレベータ制御情報の設定画面は、停止又は不停止の設定画面と、当該停止又は不停止の設定画面上で不停止が選択されたときに、前記監視モニタ上にポップアップ表示される上かご又は下かごの設定画面と、当該上かご又は下かごの設定画面上で上かご又は下かごが選択されたときに、前記監視モニタ上にポップアップ表示される階床の設定欄とを有することを特徴とする昇降機監視システム。
【請求項４】
請求項３に記載の昇降機監視システムにおいて、
前記階床の設定欄には、前記ダブルデッキエレベータが設置される建物の全ての階床が一覧表示されていて、入力装置で選択された階床について停止及び不停止の設定が行えるようになっており、前記停止又は不停止の設定画面上で不停止が選択され、かつ前記上かご又は下かごの設定画面上で上かごが選択されたときは、前記入力装置による選択操作を行うことなく前記一覧表示された各階床の最下階を自動的に不停止に設定すると共に、前記停止又は不停止の設定画面上で不停止が選択され、かつ前記上かご又は下かごの設定画面上で下かごが選択されたときは、前記入力装置による選択操作を行うことなく前記一覧表示された各階床の最上階を自動的に不停止に設定することを特徴とする昇降機監視システム。
【請求項５】
請求項１乃至請求項４のいずれか１項に記載の昇降機監視システムにおいて、
前記エレベータ制御情報の設定が終了した後、前記監視モニタに、前記ダブルデッキエレベータが設置される建物の各階床に対する、前記上かご及び前記下かごについての、停止階設定結果と不停止階設定結果を一覧表示することを特徴とする昇降機監視システム。
【発明の詳細な説明】
【技術分野】
【０００１】
本発明は、昇降機監視システムに係り、特に、乗かごが上下に連結されたダブルデッキエレベータに対する不停止階（切り離し階）の設定技術に関する。
【背景技術】
【０００２】
エレベータの運転制御に際しては、建物内のセキュリティを維持するため、或いはエレベータ装置の運転効率を高めるために、特定の階床での乗かごの停止を制限するサービス階切り離し運転が必要になる場合がある。エレベータには、１つの出入口を備えた１つの乗かごを昇降路に沿って運行する通常タイプのエレベータほか、上下に連結した２つの乗かごを有するダブルデッキエレベータや、乗り込んだ出入口のほかにもうひとつの出入口をもつ２方向出入口エレベータなどがある。これらの特殊タイプのエレベータについても通常タイプのエレベータと同様に、サービス階切り離し運転が必要になる場合がある。
【０００３】
従来、ダブルデッキエレベータの制御装置としては、下かご内に備えられたボタン類を用いて、下かご及び上かごの双方についての切り離し階の設定を行うものが提案されている（例えば、特許文献１参照。）。また、２方向出入口エレベータの昇降機監視システムとしては、出入口前方と後方を区別表示し、それぞれの階床毎に出入口前方と後方のそれぞれについて停止、不停止の指令設定を行うものが提案されている（例えば、特許文献２参照。）。
【０００４】
なお、ダブルデッキエレベータにおいて、第１の表示器を上かごに、第２の表示器を下かごに設置し、エレベータ情報に関する音声データや画像データを作成するサーバと通信可能なエレベータコントローラを用いることで、１つのシステム上で上かご下かごについて各々異なる情報を表示できるようにする技術も従来知られている（例えば、特許文献３参照。）。また、ダブルデッキエレベータにおいて、上かご内、下かご内及び乗場に設置した表示装置により、サービス可能階を知らせることで乗客者の混乱も回避する技術も従来知られている（例えば、特許文献４参照。）。
【先行技術文献】
【特許文献】
【０００５】
【特許文献１】特開平１０−２５０９４６号公報（請求項１）
【特許文献２】特開２０１０−１６８１４０号公報（請求項１、図３）
【特許文献３】特開２００２−３７５４９号公報（請求項１、図１）
【特許文献４】特開平７−１３３０８２号公報（請求項１、図３）
【発明の概要】
【発明が解決しようとする課題】
【０００６】
上述のように、特許文献１にはダブルデッキエレベータを構成する下かご及び上かごについて、切り離し階の設定を行う技術が開示されている。しかしながら、特許文献１に記載の技術は、下かご内に備えられたボタン類を用いて下かご及び上かごについての切り離し階の設定を行うというものである。よって、複数台のダブルデッキエレベータを備えた建物においては、それぞれのダブルデッキエレベータ毎に切り離し階の設定を行わなくてはならず、その作業に長時間を要するという問題がある。
【０００７】
これに対して特許文献２には、２方向出入口エレベータを含む複数台のエレベータのそれぞれについて、１台の昇降機監視システムで不停止階の指令設定を行う技術が開示されている。この特許文献２に記載の技術によれば、１台の昇降機監視システムを用いて複数台のエレベータについての不停止階の設定作業を行うことができるので、エレベータ毎に作業を行う場合に比べて、その作業効率を高めることができる。しかしながら、特許文献２に記載の技術は、２方向出入口エレベータに関するものであるので、ダブルデッキエレベータに特有の乗かごの運行方式に適した不停止階の設定に関しては何も開示されていない。このため、そのままでは２方向出入口エレベータ用の昇降機監視システムをダブルデッキエレベータ用の昇降機監視システムとして適用することができない。
【０００８】
即ち、ダブルデッキエレベータは、高い輸送能力を発揮することを期待して開発されたものであり、基本的には、上かごを偶数階のみに、下かごを奇数階のみに停止させるなど、上下の乗かごを１階床とびに停止させる運行方式（ダブル方式）が採られる。しかしながら、ダブル方式によると、利用者は、奇数階から偶数階へ、或いは偶数階から奇数階への階床間移動に際し、階段を１階床分利用せざるを得ない場合を生じ、利用者の不便となる。そこで、夜間などの利用客が少ない状況では、上下の乗かごを１階床毎に停止させる運行方式（各階停止方式）が採られることもある。さらに、上下の乗かごのうちのいずれか一方の乗かごの戸を閉鎖して、他方の乗かごのみを一般のエレベータのように１階床毎に停止させる運行方式（シングル方式）が採られることもある。また、ダブル方式とシングル方式の折衷的な運行方式（セミダブル方式）が採られることもある。
【０００９】
このように、ダブルデッキエレベータでは、利用状況等に応じて様々な運行方式が採られるので、不停止階の設定作業が複雑であり、単に特許文献２に記載の昇降機監視システムを適用しただけでは、不停止階の設定作業を効率的に行うことができない。
【００１０】
本発明は、上述した従来技術の課題を解決するためになされたものであり、ビル管理者又は保守員が、エレベータの運行方式に拘わらず、ダブルデッキエレベータに関する不停止階の設定作業を容易に行える昇降機監視システムを提供することを目的とする。
【課題を解決するための手段】
【００１１】
上記目的を達成するため、本発明は、エレベータ制御情報の設定画面及びエレベータ運行情報の表示画面を含む複数の画面を切替表示可能な監視モニタと、該監視モニタの表示切替及び前記エレベータ制御情報の設定を行う入力装置とを備えた昇降機監視システムにおいて、前記監視モニタは、前記エレベータ制御情報の設定画面として、ダブルデッキエレベータの運行方式の設定画面と、ダブルデッキエレベータを構成する上かご及び下かごについての不停止階の設定画面とを表示可能に構成されており、前記ダブルデッキエレベータの運行方式が、前記上かご及び前記下かごについて特定の階床が必然的に不停止階となるものである場合には、前記不停止階の設定画面に前記特定の階床を自動的に不停止階として表示し、前記ダブルデッキエレベータの運行方式が、前記上かご及び前記下かごについて特定の階床が不停止階となるものである場合であって、前記特定の階床以外に前記上かご及び前記下かごについて不停止階とすべき階床がさらにある場合、及び、前記ダブルデッキエレベータの運行方式が、前記上かご及び前記下かごについて不停止階となる特定の階床がないものである場合であって、前記上かご及び前記下かごについて不停止階とすべき階床がある場合には、前記入力装置を操作することにより手動で、前記不停止階の設定画面に不停止階の設定が行えるようになっていることを特徴とする。
【発明の効果】
【００１２】
本発明によれば、監視モニタに各種の画面を切替表示可能とし、かつ監視モニタに表示されたエレベータ制御情報の設定画面上で、入力装置を用いて所要のエレベータ制御情報の設定を行えるようにしたので、１台の監視モニタを用いて、ダブルデッキエレベータを構成する上下の乗かごのそれぞれについて、及び、複数台のエレベータのそれぞれについて、不停止階の設定を行うことができる。また、ダブルデッキエレベータの運行方式が、上下の乗かごのそれぞれについて特定の階床が不停止階となるものである場合には、不停止階の設定画面に当該特定の階床を自動的に不停止階として表示するので、ビル管理者又は保守員によるダブルデッキエレベータの不停止指令の入力を容易化することができる。
【図面の簡単な説明】
【００１３】
【図１】実施形態に係る昇降機監視システムの構成と、当該昇降機監視システムが適用されるエレベータ装置の構成を示すブロック図である。
【図２】実施形態に係る監視モニタの構成を示すブロック図である。
【図３】実施形態に係る監視モニタの画面構成を示す図である。
【図４】ダブルデッキエレベータの運行方式を示す図である。
【図５】ダブルデッキエレベータがダブル方式で運用される場合における停止・不停止の設定状況確認画面を示す図である。
【図６】監視モニタに表示される個別監視画面を示す図である。
【図７】監視モニタに表示される不停止設定完了までの画面偏移を示す図である。
【図８】ダブルデッキエレベータに対する不停止設定の手順を示すフローチャートである。
【図９】サービス切り離し階の設定完了後における停止・不停止階の設定状況確認画面を示す図である。
【図１０】乗場モニタの表示内容を示す図である。
【図１１】上かご内モニタの表示内容を示す図である。
【図１２】下かご内モニタの表示内容を示す図である。
【発明を実施するための形態】
【００１４】
まず、本発明に係る昇降機監視システムにより乗かごの運行が制御されるエレベータ装置の一例を、図１を用いて説明する。
【００１５】
図１に示すように、本例のエレベータ装置は、本発明に係る昇降機監視システム５０に接続されたＡグループ群制御装置３０及びＢグループ群制御装置３１を有している。Ａグループ群制御装置３０には、Ａ１号機制御装置１０、Ａ２号機制御装置１１、Ａ３号機制御装置１２が接続されており、これら各号機制御装置１０〜１２によって乗かご１，２，３の運行が制御される。また、Ａグループ群制御装置３０には、各号機制御装置１０〜１２のそれぞれに対応して、Ａ１号機乗場モニタ２０、Ａ２号機乗場モニタ２１、Ａ３号機乗場モニタ２２が接続されている。一方、Ｂグループ群制御装置３１には、Ｂ１号機制御装置１３、Ｂ２号機制御装置１４、Ｂ３号機制御装置１５が接続されており、これら各号機制御装置１３〜１５によって乗かご４，５，６の運行が制御される。また、Ｂグループ群制御装置３１には、各号機制御装置１３〜１５のそれぞれに対応して、Ｂ１号機乗場モニタ２３、Ｂ２号機乗場モニタ２４、Ｂ３号機乗場モニタ２５が接続されている。
【００１６】
Ａグループ群制御装置３０により運行が制御されるエレベータのうち、少なくとも１台はダブルデッキエレベータである。図１の例では、Ａ１号機のみがダブルデッキエレベータであり、乗かご１が、上下に連結された上かご１ａと下かご１ｂとから構成されている。上かご１ａ内には、上かご１ａの停止階を表示する上かご内モニタ２０ａが設置され、下かご１ｂ内には、下かご１ｂの停止階を表示する下かご内モニタ２０ｂが設置されている。Ａグループ群制御装置３０により運行が制御される他のエレベータは、通常タイプのエレベータであり、単一構造の乗かご２，３内にそれぞれかご内モニタ２１ａ，２２ａが設置されている。
【００１７】
Ｂグループ群制御装置３１により運行が制御されるエレベータもこれと同様であって、図１の例では、Ｂ１号機のみがダブルデッキエレベータであり、乗かご４が、上下に連結された上かご４ａと下かご４ｂとから構成されている。上かご４ａ内には、上かご４ａの停止階を表示する上かご内モニタ２３ａが設置され、下かご４ｂ内には、下かご４ｂの停止階を表示する下かご内モニタ２３ｂが設置されている。Ｂグループ群制御装置３１により運行が制御される他のエレベータは、通常タイプのエレベータであり、単一構造の乗かご５，６内にそれぞれかご内モニタ２４ａ，２５ａが設置されている。
【００１８】
なお、図１の例では、Ａグループ群制御装置３０及びＢグループ群制御装置３１の下に各３台の乗かご１〜３，４〜６を設置したが、各群制御装置３０，３１で制御される乗かごの台数は３台に限定されるものではなく、１台以上の任意の台数とすることができる。また、図１の例では、各グループ群制御装置３０，３１が制御するエレベータの台数及びそのうちのダブルデッキエレベータの台数を同数としたが、同数である必要はなく、それぞれ任意の台数とすることができる。
【００１９】
次に、実施形態に係る昇降機監視システム５０について説明する。図１に示すように、実施形態に係る昇降機監視システム５０は、Ａグループ群制御装置３０及びＢグループ群制御装置３１との間で伝達される情報の処理を行う運行情報処理機能４０と、Ａグループ群制御装置３０及びＢグループ群制御装置３１との間で伝達される情報を一時的に蓄えるデータ格納機能４１と、エレベータ制御情報の設定及びエレベータ運行情報のモニタを行う監視モニタ４４と、監視モニタ４４の表示切替及びエレベータ制御情報の設定を行う入力装置４５と、データ格納機能４１に格納された運行情報を監視モニタ４４に画面表示する運行状態表示機能４２と、監視モニタ４４に設定されたエレベータ制御情報をデータ格納機能４１に伝達する運転指令制御機能４３とから主に構成されている。
【００２０】
監視モニタ４４は、図２に示すように、入力部４４ａ、出力部４４ｂ、記憶部４４ｃ、表示部４４ｄ及び演算部４４ｅを備えている。入力部４４ａには、運行状態表示機能４２から出力される運行状態表示信号と入力装置４５から出力される設定信号が入力される。出力部４４ｂには、運転指令制御機能４３、乗場モニタ２０〜２５、上かご内モニタ２０ａ，２３ａ、下かご内モニタ２０ｂ，２３ｂ、かご内モニタ２１ａ，２２ａ，２４ａ，２５ａが接続される。記憶部４４ｃには、表示部４４ｄに表示する各種の画面情報や、運行状態表示信号及び設定信号等が記憶される。演算部４４ｅは、入力部４４ａ、出力部４４ｂ、記憶部４４ｃ及び表示部４４ｄの駆動を制御し、表示部４４ｄに、運行状態表示機能４２からの指令に応じた運行状態表示信号、又は設定信号に応じた適宜の画面情報が表示する。
【００２１】
監視画面４４の表示部４４ｄは、図３に示すように、画面切換ボタンの表示欄４０１と、画面表示欄４１０とから構成されている。この図から明らかなように、本例においては、画面切換ボタンの表示欄４０１に、建屋平面図の表示ボタン４０２、建屋立面図の表示ボタン４０３、運転指令の表示ボタン４０４、運転表示の表示ボタン４０５、サービス切り離しの表示ボタン４０６及び履歴の表示ボタン４０７の各ボタンが表示されている。画面表示欄４１０には、入力装置４５を操作することによって選択された表示ボタン４０２〜４０７に対応する画面が表示される。
【００２２】
ここで、オペレータが入力装置４５を操作して、サービス切り離しの表示ボタン４０６を選択すると、画面表示欄４１０には、現時点における各グループ及び各号機についての停止・不停止の設定状況を示す画面が一覧表示される。この停止・不停止の設定状況を示す画面には、運転指令の表示ボタン４０４を用いて設定されたダブルデッキエレベータの運行方式に応じた上かご及び下かごの停止・不停止の設定状況が表示される。
【００２３】
即ち、ダブルデッキエレベータは、先に説明したように、ダブル方式、シングル方式、セミダブル方式、各階停止方式などの各種の運行方式で運転される。図４（ａ）に示すように、上かごを偶数階のみに停止し下かごを奇数階にのみ停止するように、ダブルデッキエレベータをダブル方式で運行する場合、上かごについては奇数階と最下階が必然的に不停止階となり、下かごについては偶数階と最上階が必然的に不停止階となる。一方、図４（ｂ）に示すように、各階停止方式でダブルデッキエレベータを運行する場合においては、上かごについては最下階のみが不停止階となり、下かごについては最上階のみが不停止階となる。
【００２４】
図５に、ダブルデッキエレベータが図４（ａ）に示すダブル方式で運用される場合における、Ａ１号機についての停止・不停止の設定状況確認画面６０を示す。この図において、符号６１は階床表示欄、符号６２は上かごの停止・不停止表示欄、符号６３は下かごの停止・不停止表示欄である。図５から明らかなように、本例の場合、上かごの停止・不停止表示欄６２の奇数階及び最下階と対応する欄には、自動的に「不停止」が表示され、その他の階と対応する欄には、自動的に「停止」が表示される。一方、下かごの停止・不停止表示欄６３の偶数階及び最上階と対応する欄には、自動的に「不停止」が表示され、その他の階と対応する欄には、自動的に「停止」が表示される。これにより、ビル管理者又は保守員は、ダブルデッキエレベータの運行方式を確認することができる。
【００２５】
ビル管理者又は保守員が、自動的に「不停止」表示がなされた階床以外の階床について不停止階設定を行う場合には、画面表示欄４１０に表示された「運転指令」ボタン４０４（図３参照）を操作することにより、図６に示す個別監視画面８０，８１，８２，８３を画面表示欄４１０に表示する。この個別監視画面８０〜８３は、それぞれのグループ毎に表示することができ、図６の例では、Ａグループに属する各号機についての個別監視画面が表示されている。個別監視画面８０は、休止指令を設定するキースイッチの配列から構成されており、Ａグループ内の各号機毎に休止指令設定を行えるようになっている。個別監視画面８１は、火災管制指令を設定するキースイッチで、Ａグループに属する各号機について一括で指令設定を行えるようになっている。個別監視画面８２は、特定の号機について不停止指令を設定するキースイッチの配列から構成されており、本例の場合にはＡ１号機及びＡ３号機について不停止指令を設定するためのキースイッチが表示されている。個別監視画面８３は、運転指令を設定するキースイッチの配列から構成されており、Ａグループ内の各号機毎に運転指令設定を行えるようになっている。
【００２６】
以下、Ａ１号機に不停止指令を設定する場合を例にとり、図７及び図８を用いて不停止指令の設定手順を説明する。まず、個別監視画面８２の不停止釦９３を押下する（図８の手順Ｓ１）。これにより、図７に示すように、個別監視画面８２の切替状態表示画面９４が不停止側に切り替わる。次いで、画面表示欄４１０に図７に示す上かご又は下かごの選択画面９５が自動的にポップアップ表示される（図８の手順Ｓ２）。ビル管理者又は保守員が上かご釦９５ａ又は下かご釦９５ｂを押下する（図８の手順Ｓ３）と、画面表示欄４１０に、図７に示す不停止とする階床の選択画面９６がポップアップ表示される（図８の手順Ｓ４）。ビル管理者又は保守員は、この階床の選択画面９６の中から、必要に応じて所要の階床番号を押下する（図８の手順Ｓ５）。これにより、Ａ１号機についての不停止階の設定が完了する。以下、同様の手順で、Ａ３号機についての不停止階設定を実行する。これにより、Ａ１号機及びＡ３号機についての不停止階の設定を完了できる（図８の手順Ｓ６）。
【００２７】
このように、不停止階の設定手順において、所要の画面を順次画面表示欄４１０上にポップアップ表示する構成にすると、不停止設定する乗かご及び階床を選択するための画面を常時画面表示欄４１０に表示する必要がないので、画面レイアウトとして見易いものとすることができる。また上下に連結した２つのかごのそれぞれについて共通の指令設定手段、例えば押釦あるいはキースイッチを用意するだけで済むので、ビル管理者又は保守員による不停止指令設定を容易化することができる。
【００２８】
不停止とする階床の選択画面９６には、ダブルデッキエレベータが設置される建物の全ての階床が一覧表示されていて、上かご又は下かごの選択画面９５で上かご釦９５ａが選択された場合には、図７に示すように、奇数階及び最下階を表示する欄が例えば網掛けとなって、当該階床については自動的に不停止階として設定されていることをビル管理者又は保守員に報知する。また、上かご又は下かごの選択画面９５で下かご釦９５ｂが選択された場合には、偶数階及び最上階を表示する欄が例えば網掛けとなって、当該階床については自動的に不停止階として設定されていることをビル管理者又は保守員に報知する（図示省略）。これにより、ビル管理者又は保守員は、網掛けがされていない階床についてのみ必要な不停止階の設定を行うだけで、全ての階床についての不停止階の設定及び停止階の設定を完了できるので、ビル管理者又は保守員の負担を軽減することができる。なお、不停止階の表示は、網掛けのほか、表示色を変更や表示明度の変更など、他の方法によっても行うことができる。
【００２９】
各号機についての不停止階の設定が完了すると、図９に示すように、画面表示欄４１０には、ビル管理者又は保守員が手動で設定した不停止階を加えた停止・不停止の設定状況確認画面６０Ａが表示される。図９の例では、上かご１ａについては、６階と８階が不停止階に加えられ、下かご１ｂについては、５階と７階が不停止階に加えられている。このように、ダブルデッキエレベータの運行方式に応じて必然的に不停止階となる階床と、ビル管理者又は保守員により不停止階として設定された階床とを停止・不停止の設定状況確認画面６０Ａに表示すると、ビル管理者又は保守員は、不停止階の設定が正しく行われたか否かの確認を容易に行うことができるので、不停止階の設定を容易かつ確実に行うことができる。
【００３０】
手動による停止・不停止の設定が終了した後、Ａ１号機乗場モニタ２０、上かご内モニタ２０ａ及び下かご内モニタ２０ｂのそれぞれには、固有のサービス階案内表示が自動的に行われる。本例においては、Ｂ２階から１４階までのいずれの階床についても、上かご１ａ又は下かご１ｂのいずれかが停止するので、図１０に示すように、Ａ１号機乗場モニタ２０には全ての階床がサービス階として案内表示される。これに対して、上かご内モニタ２０ａには、図１１に網掛けで示すように、ダブルデッキエレベータをダブル方式で運用する場合に自動的に不停止設定される奇数階と、ビル管理者又は保守員が手動で不停止階として設定した６階と８階が不停止階として表示される。また、下かご内モニタ２０ｂには、図１２に網掛けで示すように、ダブルデッキエレベータをダブル方式で運用する場合に、自動的に不停止設定される偶数階と、ビル管理者又は保守員が手動で不停止階として設定した５階と７階が不停止階として表示される。このように、本実施形態に係る昇降機監視システムは、Ａ１号機乗場モニタ２０、上かご内モニタ２０ａ及び下かご内モニタ２０ｂのそれぞれに固有のサービス階案内を表示するので、利用客の利便性を高めることができる。
【００３１】
なお、ダブルデッキエレベータを各階停止方式で運行する場合においては、これとは異なり、上かご内モニタ２０ａ及び下かご内モニタ２０ｂには、それぞれビル管理者又は保守員が手動で不停止階として設定した階床のみが不停止階として表示される。
【符号の説明】
【００３２】
１，２，３・・・乗かご
１ａ・・・上かご
１ｂ・・・下かご
１０，１１，１２・・・号機制御装置
２０，２１, ２２・・・乗場モニタ
２０ａ，２３ａ・・・上かご内モニタ
２０ｂ，２３ｂ・・・下かご内モニタ
２１ａ，２２ａ，２４ａ，２５ａ・・・かご内モニタ
３０，３１・・・グループ制御装置
４０・・・運行情報処理機能
４１・・・データ格納機能
４２・・・運行状態表示機能
４３・・・運転指令制御機能
４４・・・監視モニタ
４４ａ・・・入力部
４４ｂ・・・出力部
４４ｃ・・・記憶部
４４ｄ・・・表示部
４４ｅ・・・演算部
４５・・・入力装置
５０・・・監視装置
６０，６０Ａ・・・停止・不停止の設定状況確認画面
６１・・・階床表示欄
６２・・・上かごの停止・不停止表示欄
６３・・・下かごの停止・不停止表示欄
８０〜８３・・・個別監視画面
９３・・・不停止釦
９４・・・切替状態表示画面（ポップアップウィンドウ）
９５・・・上かご・下かごの選択画面（ポップアップウィンドウ）
９５ａ・・・上かご釦
９５ｂ・・・下かご釦
９６・・・階床の選択画面（ポップアップウィンドウ）
【図１】
0005871721.tif 000002
【図２】
0005871721.tif 000003
【図３】
0005871721.tif 000004
【図４】
0005871721.tif 000005
【図５】
0005871721.tif 000006
【図６】
0005871721.tif 000007
【図７】
0005871721.tif 000008
【図８】
0005871721.tif 000009
【図９】
0005871721.tif 000010
【図１０】
0005871721.tif 000011
【図１１】
0005871721.tif 000012
【図１２】
0005871721.tif 000013